(57)【要約】【課題】流体を過剰に注ぎ出すことなく散布することができる容器を提供することを目的とする。【解決手段】流体を収容する中空部を形成する周壁２１を有し、前記周壁２１に前記中空部に連通する開口２２を開けてある、片手で掴むことのできるサイズを有する容器本体２と、前記容器本体２を密閉状にするように前記開口２２を蓋するキャップ３と、前記流体が注ぎ出された物体表面に対して転がりながら移動し、前記流体を前記物体表面に散布させる回転具４２であって前記開口２２から離れて前記周壁２１の外周面に回転可能に設けられた回転具４２を有する少なくとも一つの散布ユニット４と、を有することを特徴とする容器。【選択図】図２
0003169422.tif 000002
【実用新案登録請求の範囲】
【請求項１】
流体を収容する中空部を形成する周壁を有し、前記周壁に前記中空部に連通する開口を開けてある、片手で掴むことのできるサイズを有する容器本体と、
前記容器本体を密閉状にするように前記開口を蓋するキャップと、
前記流体が注ぎ出された物体表面に対して転がりながら移動し、前記流体を前記物体表面に散布させる回転具であって前記開口から離れて前記周壁の外面に回転可能に設けられた回転具を有する少なくとも一つの散布ユニットと、を有することを特徴とする容器。
【請求項２】
前記散布ユニットは更に、前記周壁の外側面に固定された取付台を有し、前記取付台は、前記回転具を取り付ける凹陥部を形成し、
前記回転具は、その一部が前記凹陥部から突き出るように前記凹陥部に回転可能に設置されることを特徴とする請求項１に記載の容器。
【請求項３】
前記回転具は、その外周面から突き出た複数の突起を有することを特徴とする請求項２に記載の容器。
【請求項４】
前記回転具は対向する２つの軸端を有し、
前記取付台は、前記周壁と隣接して配置されたベースと、前記ベースの両端から突出してそれぞれ前記軸端を支持する同軸上に対向する２つの支持体と、前記ベースの両側から対向に突出して前記２つの支持体の間を接続する２つの接続壁とを有し、
前記凹陥部は、前記支持体と前記接続壁と前記ベースとにより画成されていることを特徴とする請求項２に記載の容器。
【請求項５】
前記回転具としてはボールが用いられ、前記凹陥部としては前記ボールを突出して収納するカップ形状に形成されていることを特徴とする請求項２に記載の容器。
【請求項６】
前記散布ユニットは複数あり、それぞれは、前記ボールを前記取付台から突出して回転可能に構成されることを特徴とする請求項５に記載の容器。
【請求項７】
前記容器本体は、その径幅が前記散布ユニットが設けられた一側から他側へ向かって広く形成され、
前記取付台は、前記容器本体側から前記凹陥部側へ向かって細く形成されていることを特徴とする請求項２に記載の容器。
【請求項８】
前記周壁は、その前記取付台が固定される面以外の外側面が粗面状に形成されていることを特徴とする請求項７に記載の容器。
【請求項９】
前記容器本体は、前記開口を囲うように前記周壁に連結されたネック部を有し、前記ネック部に第1のねじ部が形成され、
前記キャップは、前記中空部及び外部と連通する注出孔が形成された装着部と、該装着部に対して回動可能に設けられ前記注出孔を閉塞するように蓋するカバー部とを有し、前記装着部に前記第１のねじ部と螺合可能な第２のねじ部が形成されていることを特徴とする請求項１に記載の容器。
【請求項１０】
前記散布ユニットは更に、前記回転具を覆うように前記取付台に配置され取り外し可能な保護部材を有することを特徴とする請求項２に記載の容器。
【考案の詳細な説明】
【技術分野】
【０００１】
本考案は容器に関し、特に、流体を散布するための散布ユニットを有する容器に関する。
【背景技術】
【０００２】
化粧品或いは医薬品の外用薬として、ローション剤、クリーム剤、軟膏剤、ゲル剤等の流体があるが、これらの流体は、容器から注出してユーザーの体、顔に塗布するとき、手を使って散布される。
【０００３】
しかしながら、ユーザーの手を使って流体を散布した場合、その流体が手に付着するので、ユーザーは流体を散布した後、手を洗わなければならない。このように、流体の散布後、手を洗わなければならないことは、使用者にとって大変不便である。
【０００４】
このような問題に鑑みて、従来より、図１に示されるような容器が使用されている。従来の容器は、容器本体１の開口にボール１１が取り付けられており、流体を注ぎ出すと共に、回転可能なボール１１を介して体の所定箇所をマッサージしながらその流体を散布することができるように構成されている。
【考案の概要】
【考案が解決しようとする課題】
【０００５】
しかしながら、このような構造の容器は、散布とマッサージが行われている間、流体が継続的に注ぎ出されるため、長時間、散布とマッサージを行うと流体が過剰に注ぎ出してしまうことになる。
本考案は、流体を過剰に注ぎ出すことなく散布することができる容器を提供することを目的とする。
【課題を解決するための手段】
【０００６】
上記目的を達成するために、本考案の容器は、流体を収容する中空部を形成する周壁を有し、前記周壁に前記中空部に連通する開口を開けてある、片手で掴むことのできるサイズを有する容器本体と、
前記容器本体を密閉状にするように前記開口を蓋するキャップと、
前記流体が注ぎ出された物体表面に対して転がりながら移動し、前記流体を前記物体表面に散布させる回転具であって前記開口から離れて前記周壁の外周面に回転可能に設けられた回転具を有する少なくとも一つの散布ユニットと、を有する。
【考案の効果】
【０００７】
本考案の容器によれば、散布ユニットが容器本体の開口から離れて設けられているため、流体を過剰に注ぎ出すことなく散布とマッサージを行うことができる。また、流体を手に付着させることなく物体表面に散布することができ、使用勝手が良い。
【図面の簡単な説明】
【０００８】
【図１】従来の容器の部分縦断面図である。
【図２】本考案の第１の実施形態である容器における分解斜視図である。
【図３】本考案の第２の実施形態である容器における側面図である。
【図４】本考案の第３の実施形態である容器における側面図である。
【図５】本考案の第４の実施形態である容器における平面図である。
【図６】本考案の第５の実施形態である容器における分解斜視図である。
【考案を実施するための形態】
【０００９】
以下、本考案の実施形態を図面に基づいて説明する。なお、同一構成及び機能を有する構成要素については、同一番号を付してその説明を省略する。
【第１の実施形態】
【００１０】
図２に示されるように、第１の実施形態に係る容器は、流体を収容する中空部を形成する周壁２１を有し、周壁２１に中空部に連通する開口２２を開けてあり、片手で掴むことのできるサイズを有する容器本体２と、容器本体２を密閉状にするように開口２２を蓋するキャップ３と、開口２２から離れて周壁２１の外周面に回転可能に設けられた回転具４２を有する少なくとも一つの散布ユニット４と、を有する。
【００１１】
回転具４２は、流体が注ぎ出された物体表面に対して転がりながら移動し、流体を物体表面に散布させる。本実施形態において、物体表面とは、ユーザーの体の所定箇所を示す。
【００１２】
容器本体２は、開口２２を囲うように周壁２１に連結されたネック部２３を有し、ネック部２３に第1のねじ部が形成され、キャップ３は、中空部及び外部と連通する注出孔３２が形成された装着部３１と、注出孔３２を閉塞するように蓋するカバー部３３とを有し、装着部３１に第１のねじ部と螺合可能な第２のねじ部が形成されている。カバー部３３は、該装着部３１に対して回動可能に設けられている。この形態において、容器本体２は、その径幅が散布ユニット４が設けられた一側から他側へ向かって狭く形成されている。
【００１３】
少なくとも１つの散布ユニット４は、周壁２１の外側面に固定された取付台４１を有し、取付台４１は、回転具４２を取り付ける凹陥部４１２を形成している。回転具４２は、その一部が凹陥部４１２から突き出るように凹陥部４１２に回転可能に設置される。
【００１４】
本実施形態において、回転具４２は対向する２つの軸端４２２を有する。取付台４１は、周壁２１と隣接して配置されたベース４１１と、ベース４１１の両端から突出してそれぞれ前記軸端４２２を支持する同軸上に対向する２つの支持体４１３と、ベース４１１の両側から対向に突出して２つの支持体４１３の間を接続する２つの接続壁４１４とを有する。凹陥部４１２は、支持体４１３と接続壁４１４とベース４１１とにより画成されている。この形態において、取付台４１は、容器本体２側から凹陥部４１２側へ向かって細く形成されている。
【００１５】
本実施形態の容器の使用において、ユーザーはまず、片手で容器本体２を掴み、カバー部３３を開け、容器本体２の中空部に収容された流体を物体表面に注ぎ出す。続いて、カバー部３３を閉じ、回転具４２を、流体が注ぎ出された物体表面に対して転がしながら移動させる。このようにして、物体表面に対する回転具４２の回転により、流体が均一に散布される。また、回転具４２を介して物体表面に加えられた圧力により、物体表面に対してマッサージを行うことができ、ユーザーの力加減によってマッサージ効果の強さを調整することができる。
【００１６】
上述の構造により、本実施形態の容器は、マッサージ手段としての効果と共に、流体を均一に散布する効果を有することができる。また、回転具４２は、その外周面４２３から突き出た複数の突起４２１を有し、これらの突起４２１により、流体がより均一に散布され、マッサージ効果が向上する。更に、散布ユニット４が開口２２から離れた位置に形成されていることにより、流体の散布及びマッサージが行われる間、流体が継続的に注ぎ出されることがない。このように、本考案の容器によれば、ユーザーの手に余分な流体が付着することなく、また、過剰な流体が注ぎ出されることなく、流体の散布とマッサージとを長時間行うことが可能になる。
【第２の実施形態】
【００１７】
図３に示されるように、第２の実施形態に係る容器は、構成が第１の実施形態とほぼ同様であるが、第２の実施形態では、散布ユニット４の回転具としてボール４２Ａが用いられ、凹陥部４１２はボール４２Ａを突出して収納するカップ形状に形成されていることが、第１の実施形態と異なる。
【００１８】
カップ形状の凹陥部４１２が形成される散布ユニット４は、図３に示されるように、取付台４１が円柱形状に形成されることが好ましい。また、本実施形態の容器において、散布ユニット４は複数あり、それぞれは、ボール４２Ａを取付台４１から突出して回転可能に構成されることが更に好ましい。
【００１９】
本実施形態における容器は、第１の実施形態の容器と同じ方法で使用され、流体が注ぎ出された物体表面に対してボール４２Ａを転がしながら移動させることで、流体が均一に散布され、また、回転具４２を介して物体表面に加えられた圧力により、物体表面に対してマッサージを行うことができる。
【第３の実施形態】
【００２０】
図４に示されるように、第３の実施形態に係る容器は、構成が第１の実施形態とほぼ同様であるが、第３の実施形態では、散布ユニット４として、第１の実施形態の散布ユニット４と、第２の実施形態の散布ユニット４とを共に有していることが、第１の実施形態と異なる。この場合、ユーザーは、要求に応じてこれら２種の散布ユニット４のうち一つを選んで使用することができる。
【第４の実施形態】
【００２１】
図５に示されるように、第４の実施形態に係る容器は、構成が第１の実施形態とほぼ同様であるが、第４の実施形態では、容器本体２は、その径幅が散布ユニット４が設けられた周壁２１の一側２１１から周壁２１の他側２１２へ向かって広く形成されていることが、第１の実施形態と異なる。取付台４１は、容器本体２側から凹陥部４１２側へ向かって細く形成されている。周壁２１は、その取付台４１が固定される面以外の外側面２１３が粗面状に形成されていることが好ましい。
【００２２】
上述の構造により、容器本体２は、散布ユニット４が設けられた周壁２１の一側２１１から周壁２１の他側２１２へ向かって広く形成された径幅を有し、ユーザーにとって掴みやすく、物体表面に沿って移動させやすい構造になっている。また、粗面状の外表面２１３は、ユーザーの手が容器本体２を掴んだときに滑ることを防ぐための構造である。
【第５の実施形態】
【００２３】
図６に示されるように、第５の実施形態に係る容器は、構成が第１の実施形態とほぼ同様であるが、第１の実施形態において、散布ユニット４が更に、取付台４１に取り外し可能に配置され、回転具４２を覆って塵やその他の汚染物質から回転具４２を保護する保護部材４５を有し、回転具４２に付着した流体が散布ユニット４から流れ出すことを防ぐことができる。
【００２４】
以上のように、本考案に係る容器によれば、容器本体２が片手で掴まれ、回転具４２を介して流体を均一に散布し、物体表面をマッサージするように物体表面に対して移動することができる。更に、物体表面におけるマッサージ効果の強さは、ユーザーの容器本体２を動かすために加える力によって調整される。なお、散布ユニット４は開口２２から離れて配置されているので、流体の散布及びマッサージが行われている間、流体が継続的に注ぎ出されることがなく、ユーザーは流体の散布とマッサージとを長時間行うことができる。
【００２５】
なお、本考案の好適な実施形態について説明したが、本考案は上述の実施形態に限られるものではなく、本考案の要旨を逸脱しない範囲の配列や形態も含まれる。
【符号の説明】
【００２６】
２  容器本体
２１  周壁
２１１  一側
２１２  他側
２１３  外側面
２２  開口
２３  ネック部
３  キャップ
３１  装着部
３２  注出孔
３３  カバー部
４  散布ユニット
４１  取付台
４１１  ベース
４１２  凹陥部
４１３  支持体
４１４  接続壁
４２  回転具
４２Ａ  ボール
４２１  突起
４２２  軸端
４２３  外周面
４５  保護部材
【図１】
0003169422.tif 000003
【図２】
0003169422.tif 000004
【図３】
0003169422.tif 000005
【図４】
0003169422.tif 000006
【図５】
0003169422.tif 000007
【図６】
0003169422.tif 000008